Podtech/llm-jp-corpus-v4-ja_patent huggingface dataset:
(57)【要約】      （修正有）【課題】開封前は一体となっているＰＰリングとＰＰキャップ，それらをＰＥＴボトル開封時に切り離す為にＰＰリングはＰＥＴボトルに簡単には取れないように取りつけてあり、ＰＰリングを取り外す為にハサミ等、道具を用意する必要があった。また、ＰＰリングを取り外すのをあきらめ、ＰＥＴボトルを分別しきれずに捨てていた。ＰＥＴボトルからＰＰリングを簡単に分離できるＰＥＴボトルを提供する。【解決手段】ＰＥＴボトル３のＰＰリング２が嵌る部分に、逆ネジである螺旋状の溝を持ち、ＰＰキャップ１を回すと、ＰＰリング２は逆ネジの作用によりＰＥＴボトル３に密着する方向に力が働き、ＰＰキャップ１から切り離され、ＰＥＴボトル３に取り残されたＰＰリング２は、手で回す事により容易にＰＥＴボトル３から分離する事ができる。【選択図】図１
2012046188.tif 000002
【特許請求の範囲】
【請求項１】
ネジで保持されているＰＰリングを手で回し、ＰＥＴボトルから簡単に分離できる事を特徴とするＰＰリング簡単分離ＰＥＴボトル。
【発明の詳細な説明】
【技術分野】
【０００１】  本発明は、ＰＥＴボトルのゴミの分別を容易にする、ＰＰリング簡単分離ＰＥＴボトルに関するものである。
【背景技術】
【０００２】  従来、開封前は一体となっているＰＰリングとＰＰキャップ，それらをＰＥＴボトル開封時に切り離す為にＰＰリングはＰＥＴボトルに簡単には取れないように取りつけてあった。
【発明の開示】
【発明が解決しようとする課題】
【０００３】  その為、次のような問題点があった
（イ）ＰＰリングを取り外す為にハサミ等、道具を用意する必要があった。
（ロ）ＰＰリングを取り外すのをあきらめ、ＰＥＴボトルを分別しきれずに捨てていた。
【課題を解決するための手段】
【０００４】  ネジで保持されているＰＰリングを手で回し、ＰＥＴボトルから簡単に分離できる事を特徴とするＰＰリング簡単分離ＰＥＴボトル。
【発明の効果】
【０００５】  簡単にＰＰリングをＰＥＴボトルから取り外す事ができ、ＰＰリングを取り外すのをあきらめていたＰＥＴボトルを減らし、資源の再利用率を上げる事ができる。
【発明を実施するための最良の形態】
【０００６】  以下、本発明の実施の形態について説明する。
（イ）ＰＥＴボトル（３）のＰＰリング（２）が嵌る部分に、逆ネジ（５）を設ける。
（ロ）開封前はＰＰキャップとＰＰリングは一体である。
（ハ）ＰＥＴボトル（３）内の液体の圧力により、ＰＰキャップ（１）がＰＥＴボトル（３）から離れる作用が働き回転してもＰＰリング（２）は逆ネジ（５）によりＰＥＴボトル（３）に密着する方向に力が働く為、液体の圧力に耐える事が出来る。
（ニ）ＰＰリング（２）はＰＰキャップ（１）を回すと、逆ネジ（５）の作用によりＰＥＴボトル（３）に密着する方向に力が働き、ＰＰキャップ（１）から切り離される。
（ホ）ＰＰキャップ（１）から切り離され、ＰＥＴボトル（３）に取り残されたＰＰリング（２）は、手で回す事により容易にＰＥＴボトル（３）から分離する事ができる。
【図面の簡単な説明】
【０００７】
【図１】本発明の正面図
【図２】本発明のＰＥＴボトルのみの正面図
【符号の説明】
【０００８】１    ＰＰキャップ
２    ＰＰリング
３    ＰＥＴボトル
４    ネジ
５    逆ネジ
【図１】
2012046188.tif 000003
【図２】
2012046188.tif 000004
【手続補正書】
【提出日】平成22年8月6日(2010.8.6)
【手続補正１】
【補正対象書類名】特許請求の範囲
【補正対象項目名】請求項１
【補正方法】変更
【補正の内容】
【請求項１】
現在市販されているＰＰリングを保持できる螺旋状の溝を持ち、かつＰＥＴボトルからＰＰリングを手で簡単に外す事ができる事を特徴とするＰＰリング簡単分離ＰＥＴボトル。
【手続補正２】
【補正対象書類名】明細書
【補正対象項目名】０００２
【補正方法】変更
【補正の内容】
【０００２】従来、開封前は一体となっているＰＰリングとＰＰキャップ，それらをＰＥＴボトル開封時に切り離す為にＰＰリングはＰＥＴボトルに簡単には取れないように取りつけてあった、またＰＰリング、ＰＥＴボトルに逆ネジを設け、ＰＰキャップとＰＰリングを切り離すことができる発明が知られている（特許文献１）。
【特許文献１】特開２００７−１０６４５１号公報
【手続補正３】
【補正対象書類名】明細書
【補正対象項目名】０００３
【補正方法】変更
【補正の内容】
【０００３】  その為、次のような問題点があった
（イ）ＰＰリングを取り外す為にハサミ等、道具を用意する必要があった。
（ロ）ＰＰリングを取り外すのをあきらめ、ＰＥＴボトルを分別しきれずに捨てていた。
（ハ）ネジが正と逆で相反するＰＰキャップとＰＰリングを一体で射出成型しなければならず技術的にむずかしかった、
本発明は、以上の問題点を解決する為になされたものである。
【手続補正４】
【補正対象書類名】明細書
【補正対象項目名】０００４
【補正方法】変更
【補正の内容】
【０００４】現在市販されているＰＰリングを保持できる螺旋状の溝を持ち、かつＰＥＴボトルからＰＰリングを手で簡単に外す事ができる事を特徴とするＰＰリング簡単分離ＰＥＴボトル。
【手続補正５】
【補正対象書類名】明細書
【補正対象項目名】０００６
【補正方法】変更
【補正の内容】
【０００６】以下、本発明の実施の形態について説明する。
（イ）  ＰＥＴボトル（３）のＰＰリング（２）が嵌る部分に、螺旋状の溝（５）を設け      る。
（ロ）  開封前はＰＰキャップ（１）とＰＰリング（２）は一体である、なおＰＰキャッ      プ（１）とＰＰリング（２）は現在市販されている物で良い。
（ハ）  ＰＥＴボトル（３）内の液体の圧力により、ＰＰキャップ（１）がＰＥＴボトル      （３）から離れる作用が働き回転してもＰＰリング（２）は螺旋状の溝（５）によ      りＰＥＴボトル（３）に密着する方向に力が働く為、液体の圧力に耐える事が出来      る。
（ニ）  ＰＰリング（２）はＰＰキャップ（１）を回すと、螺旋状の溝（５）の作用によ      りＰＥＴボトル（３）に密着する方向に力が働き、ＰＰキャップ（１）から切り離      される。
（ホ）  ＰＰキャップ（１）から切り離され、ＰＥＴボトル（３）に取り残されたＰＰリ      ング（２）は、手で簡単にＰＥＴボトル（３）から外す事ができる。
【手続補正６】
【補正対象書類名】明細書
【補正対象項目名】０００８
【補正方法】変更
【補正の内容】
【０００８】１    ＰＰキャップ
２    ＰＰリング
３    ＰＥＴボトル
４    ネジ
５    螺旋状の溝
【手続補正７】
【補正対象書類名】図面
【補正対象項目名】図２
【補正方法】変更
【補正の内容】
【図２】
2012046188.tif 000005
(57)【要約】【課題】従来品の綿、ポリエステル、レーヨン製品は、アトピー及び湿疹性皮膚炎の赤ちゃんにとって汗は出来るだけ避けねばならず、通気、吸収、放湿性が良いとはいえず、赤ちゃんのデリケートな肌は、蒸れなどで汗疹、湿疹等痒みが出たりしていた。【解決手段】当該肌着は通気、吸収、放湿、親水性にシルクを素材とした不織布を使用したことを特徴とし、その形状は背布を赤ちゃんの後頭部が隠れるまで長くしたことにより従来の製品には見られなかった母親等の抱きかかえ時の腕に当てていた布を排除するものである。【選択図】図１
2012046856.tif 000002
【特許請求の範囲】
【請求項１】
当該肌着は通気、吸収、親水性にシルクを素材とした不織布を使用したことを特徴とし、その形状は背布を赤ちゃんの後頭部が隠れるまで長くしたことにより従来の製品には見られなかった母親等の抱きかかえ時の腕に当てていた布を排除するものである。
【発明の詳細な説明】
【技術分野】
【０００１】本発明は、新生児、乳幼児用の肌着に関するものである。
【背景技術】
【０００２】従来は赤ちゃん用の肌着としては一般に綿、ポリエステル、レーヨン製品を使用していた。
【発明の概要】
【発明が解決しようとする課題】
【０００３】従来品の綿、ポリエステル、レーヨン製品は、通気、吸収、放湿性が良いとはいえず、アトピー及び湿疹性皮膚炎の赤ちゃんにとって汗は出来るだけ避けねばならず、赤ちゃんのデリケートな肌は、蒸れなどで汗疹、湿疹等痒みが出たりしていた。
【課題を解決するための手段】
【０００４】赤ちゃん用の肌着は、従来品より通気、吸収、放湿、親水性等が赤ちゃんのデリケートな肌を優しく包むように刺激のないシルクを素材とした不織布を使用したことを特徴とする。【０００５】シルクを素材とした不織布とは、近年開発されたウォータージェット方式によって製造した不織布で、バインダー（接着剤）を使用しないでシルクを水の水圧だけで布状にしたものであり、赤ちゃんのデリケートな肌に刺激なく優しく馴染むものである。【０００６】ウォータージェット方式で製造したシルク不織布は、カットした断面がほつれない特徴があり、ロックミシン等で縫製する必要がなくできるだけ赤ちゃんの肌に刺激するようなものを排除するものであり、目付も３０ｇ〜１００ｇ／ｍ２にした。【０００７】赤ちゃん用の肌着の形状は、背布を赤ちゃんの頚部から後頭部まで長く、三枚重ねにしたことにより、素手で汗ばむことなく母親等の抱きかかえ時の腕に当てていた布を排除することができる。【０００８】赤ちゃん用の肌着の形状は、トムソンにて型を抜くもの、キャム自動裁断機等で裁断したものであり、ミシン等の糸を使わず赤ちゃんのデリケートな肌に触れずに刺激を与えないことができる。
【発明の効果】
【０００９】母親等が赤ちゃんを抱きかかえる時に腕と、赤ちゃんの頚部・後頭部が接触する部分は常に母親等の腕に綿製品のタオル・ガーゼを被せていたが、僅かな時間であっても蒸れを防ぐことが出来なかった。そこで、当考案品は背布を後頭部まで伸ばしたので、その不織布を母親等の腕に当てるだけでシルク特有の通気、放湿、親水性により特にアトピー及び湿疹性皮膚炎の赤ちゃんには肌に優しく長時間の抱きかかえも双方にとって快適である。
【図面の簡単な説明】
【００１０】
【図１】本考案の一例の肌着を広げた時の正面展開図
【図２】本考案の肌着を実際用いている状態を示す説明図
【図３】本考案の肌着を実際用いている状態の説明図
【実施例】
【００１１】ウォータージェット方式によってシルクを素材とした不織布は、接着剤をまったく使用しないで水の水圧だけで布状にしたものであり、赤ちゃん用の肌着の幅サイズ約６０ｃｍを製造工程より自動カットされ、ロール巻にしたものを約５０ｃｍの大きさにトムソンにて型を抜くか、キャム自動裁断機等で裁断をする。
出来上がった物が、図１の赤ちゃん用の肌着を広げた時の正面展開図を示して一枚物になっており、符号でＢの中心まくら部に両端の符号でＡ、Ｃの左右まくら部を罫線にて折って三重にする。三重にすることによってクッションにもなり、蒸れを防ぎ、汗を吸収することができる。また、符号でＧの中心身ごろ部に両端の符号Ｆ、Ｈの左右身ごろ部を罫線にて折って赤ちゃん用肌着に形作る。符号Ｄは腕を通す袖穴であり、符号Ｇは肌着の胸元が開かないようひももしくはマジックテープを付け肌に直接当たらないようにする。
図２は、赤ちゃん用の肌着を着せる時の状態を示す正面図であり、符号でＩの部分だけ縫製を施し、肌着に形作る。図３は、赤ちゃん用の肌着を実際用いている状態の説明図である。
【符号の説明】
【００１２】Ｂ：中心まくら部
Ａ：左まくら部
Ｃ：右まくら部
Ｄ：中心身ごろ部
Ｆ：左身ごろ部
Ｈ：右身ごろ部
Ｄ：袖穴
Ｉ：縫製箇所
Ｅ：マジックテープ
【図１】
2012046856.tif 000003
【図２】
2012046856.tif 000004
【図３】
2012046856.tif 000005
(57)【要約】      （修正有）【課題】既存の無色透明なヘルメットのシールドに、ミラー又は色の付いたシールドを脱着可能にした、シールドを提供する。【解決手段】ヘルメットに、色の付いたシールド２に磁石３を取り付け、鉄板と磁石で挟み込む様に、既存のシールドに取り付けることで脱着可能にした。【選択図】図１
2012046857.tif 000002
【特許請求の範囲】
【請求項１】
ヘルメットのシールドに別のミラー又は色付きのシールドをクリップ等の留め具又は磁石等で脱着可能としたヘルメットのシールド。
【発明の詳細な説明】
【発明の詳細な説明】
【技術分野】
【０００１】  本発明は、既存のヘルメットのシールドにミラー又は色付きのシールドを脱着可能にした、ヘルメットのシールドに関するものである。
【背景技術】
【０００２】  従来、ヘルメットのシールドは色付きの物はあったが、日中明るい所では良いが、夜間とくに雨の日等は前が見えにくくシールドを開けると雨が目に入ってきて、晴れた日でも山間部では虫がたくさん目に飛び込んできて、大変危険であった。
【発明を実施するための形態】
【０００３】  本発明は既存のヘルメットのシールドに、ミラー又は色付きのシールドをクリップ等の留め具又は磁石で脱着可能にしたシールドで、それを図面について説明すれば、既存のヘルメットのシールド１に、色の付いたシールド２に磁石３を取り付け、鉄板４と磁石３で、既存のヘルメットのシールド１を挟み込む様な形で、脱着可能にしたものである。
【発明の効果】
【０００４】  このようにすれば雨の日や夜間等、前の見えにくい時でも、色の付いたシールドを既存のシールドから取り外し、無色透明なシールドにする事が出来るので、大変安全で、便利である。
【図面の簡単な説明】
【図１】  本発明の斜視図である。
【符号の説明】１  既存のヘルメットのシールド
２  色の付いたシールド
３  磁石
４  鉄板
【図１】
2012046857.tif 000003
(57)【要約】      （修正有）【課題】ムギワラ帽子に、タオルと洗濯バサミの３点セットを全部揃えるのが大変であり、全員の分を揃える事は不可能。【解決手段】日傘とタオルと洗濯バサミを持たずに、帽子に前開きのスカートを履かせ、大人でも子供でも、ゴムの調節で誰の帽子にも合う日除け携帯カバー。【選択図】図２
2012046858.tif 000002
【特許請求の範囲】
【請求項１】
日傘を持たずに強い日差しを防ぎ、大人でも子供でも両手が自由に使える。快適・日除け携帯カバー。
【発明の詳細な説明】
【技術の分野】
【０００１】    本発明は、海遊びや野球・サッカー等の観戦の場や、日光の強い紫外線の当たる場所での「帽子用・日除け携帯カバー」に関するものである。
【背景技術】
【０００２】  従来、海遊びや野球観戦のとき、帽子にタオルを洗濯バサミで止めていた。
【先行技術文献】
【０００３】
【特許文献１】  特許公開２００５−０６８５８５号広報
【発明の概要】
【発明が解決しようとする課題】
【０００４】  帽子の洗濯バサミで止めていても、すぐに外れてしまう。洗濯バサミが少なかったり多人数の場合、洗濯バサミを沢山使用する事になる。
本発明は、以上の問題点を解決するためになされたものである。
【課題を解決するための手段】
【０００５】  布は風通しが良く、薄めでタオルより巾広く（肩まで隠れる）長さも長く（顔まで隠れる）誰の帽子にも合うように、上部は輪にしてゴムを入れる。下部は前が見えるように、マジックテープで内側に止める。
【発明の効果】
【０００６】タオルや洗濯バサミを持ち歩くのは大変でも、当発明「日除けカバー」なら小さく丸めて携帯可能である。日差しの強い時には帽子の上に被り、スポーツ観戦が出来、日傘を使用しなくても良いので、周りに迷惑もかからず両手が自由に使う事ができる。
【図面の簡単な説明】
【０００７】
【図１】本発明の斜視図
【図２】本発明の使用状態を示す斜視図
【発明を実施するための形態】
【０００８】  以下本発明の実施の形態を説明する。
（イ）一枚の布  両側を三ッ折で縫う。
（ロ）袖に共布で  フリルを付ける。
（ハ）上部を折り返し、ギャザーが出来るようにゴム通しのミシンをかける。
（ニ）板ゴムを通す。
（ホ）輪の合わさり目のゴムの上部の部分は、縫い合わせる。
本発明は、以上の様な構造です。
本発明を使用する時は、マジックテープを内側のマジックテープに付けてから、帽子の上に被る。
【符号の説明】
【０００９】  ▲１▼  薄い布    ▲２▼  同布のフリル    ▲３▼  板ゴム    ▲４▼  ゴム通し穴    ▲５▼  マジックテープ凸    ▲６▼  マジックテープ凹
【図１】
2012046858.tif 000003
【図２】
2012046858.tif 000004
(57)【要約】      （修正有）【課題】書類を綴じてファイルとして保管するにおいて、そのファイルを表紙に綴じて縦にして書棚等に横並びにする際、ファイルが腰折れしたり、ファイル前後の厚みの違いに因るファイルが弧を描きがちになる不整列がない後背表紙付きファイル表紙を提供する。【解決手段】ファイルを縦にして横並びに書棚等で保管する際に腰折れ、不整列が起きることを防止するために、後ろ背表紙１を取り付け、その後ろ背表紙１固定にマジックテープ（登録商標）を使用する事により腰折れ、不整列を解決したものである。【選択図】図１
2012206494.tif 000002
【特許請求の範囲】
【請求項１】
後ろ背表紙固定にマジックテープを使用する後背表紙付きファイル表紙。
【発明の詳細な説明】
【技術分野】
【０００１】  本発明は、書類等を綴じるファイル表紙に関するものである。
【背景技術】
【０００２】  従来、書類等を綴じてファイルとして保管する際、そのファイルを表紙に綴じて縦にして書棚等に横並びにして保管してきた。
このとき、ファイル表紙の腰折れ防止やファイル前後の厚みの違いに因るファイルが弧を描きがちになる不整列防止としては、ブックエンドや棚に仕切りを付けて対処していた。
【特許文献１】  特願２０１１−５５９２８
【発明の開示】
【発明が解決しようとする課題】
【０００３】  従来、書類を綴じてファイルとして保管する際、そのファイルを表紙に綴じて縦にして書棚等に横並びにして保管してきた。
このとき、ファイル表紙の腰折れ防止やファイル前後の厚みの違いに因るファイルが弧を描きがちになる不整列防止としては、ブックエンドや棚に仕切りを付けて対処していたが、ファイル表紙の腰折れ防止やファイル前後の厚みの違いによる弧を描きがちになる不整列を防ぐことは困難であった。
本発明は、以上の問題点を解決するためになされたものである。
【課題を解決するための手段】
【０００４】  ファイル表紙の腰折れ防止には表紙を厚い素材で作成すれば解決するが、横並び不整列については解決出来ないので、ファイルの前後の厚さを同じにすれば、両方解決出来るので、ファイルの後ろにも背表紙を付けることにした。
後ろ背表紙には折り返しを付け、その折り返しにマジックテープを着け、前表紙裏側にもマジックテープを着け、ファイルを綴じる事によってマジックテープで後ろ背表紙を固定することが出来、ファイルの強度とファイル後ろの厚みを保つことが出来、問題を解決することが出来た。
【発明の効果】
【０００５】  ファイル表紙に後ろ背表紙を付けたことにより、ファイルを縦にして横並びにしても腰折れや不整列は生じなくなった。
【図面の簡単な説明】
【０００６】
【図１】本発明の展開斜視図
【図２】本発明の立面斜視図
【符号の説明】
【０００７】（１）後ろ背表紙、（２）折り返し、（３）マジックテープ▲１▼、（４）マジックテープ▲２▼、（５）前背表紙、（６）谷折線▲１▼、（７）谷折線▲２▼、（８）山折線▲１▼、（９）山折れ線▲２▼（１０）綴じ具
【図１】
2012206494.tif 000003
【図２】
2012206494.tif 000004
(57)【要約】【課題】鏡体自体がホルダー機能を備えてコストダウンと有効視界範囲の拡大とを実現できる車両用ドアミラーの提供を図る。【解決手段】鏡体１自体が裏面の連結部４を介して鏡面作動ユニットに連結可能なホルダー機能を備える。鏡体１は鏡体素地板２の表面全体を反射膜３を設けた反射面として活用可能としている。これにより部品点数等の削減によるコストダウンと、有効視界範囲の拡大とを実現可能としている。【選択図】図１
2012206529.tif 000002
【特許請求の範囲】
【請求項１】
合成樹脂製の鏡体素地板の表面に反射膜を設けて鏡体を形成し、
該鏡体の裏面に、鏡面作動ユニットに対する連結部を一体に突出成形して、
該鏡体にホルダー機能を付与したことを特徴とする車両用ドアミラー。
【請求項２】
前記鏡体の周縁部の裏面側に、フランジ部を一体に突出成形したことを特徴とする請求項１に記載の車両用ドアミラー。
【請求項３】
前記フランジ部の形成位置を、前記鏡体の周縁端末よりも板面中央側にオフセットした位置に設定し、鏡体の周縁端末とフランジ部の成形基部との間に段差を設けたことを特徴とする請求項２に記載の車両用ドアミラー。
【請求項４】
前記連結部は、鏡体裏面に突出した補剛用基部と、該補剛用基部の突出方向頂部に突出した連結部材嵌合部と、を備え、
前記補剛用基部は、前記鏡体素地板の成形時にガスインジェクションにより肉抜きをして成形してあることを特徴とする請求項１〜３の何れか１つに記載の車両用ドアミラー。
【発明の詳細な説明】
【技術分野】
【０００１】
本発明は、車両用ドアミラーに関する。
【背景技術】
【０００２】
特許文献１には、鏡面作動ユニットに組付けられる反射鏡ユニットを、裏面に反射膜を蒸着した合成樹脂製の鏡体と、該鏡体を保持する合成樹脂製のホルダーと、で構成した車両用ドアミラーが開示されている。
【先行技術文献】
【特許文献】
【０００３】
【特許文献１】特開２０１０−１７３４６９号公報
【発明の概要】
【発明が解決しようとする課題】
【０００４】
特許文献１の開示技術では、鏡体とホルダーとをそれぞれ別体に成形して、鏡体の周縁部とホルダーの開口周縁部とをレーザーにより溶着固定するため、反射鏡ユニットの形成工数が嵩んでコスト的に不利となってしまう。
【０００５】
また、ホルダーの開孔周縁部を鏡体の周縁部の反射面側（表面側）に廻り込んで溶着固定するため、鏡体の反射面積が狭められてドアミラーの有効視界範囲が狭くなってしまう。
【０００６】
そこで、本発明は鏡体自体が鏡面作動ユニットに対するホルダー機能を備えてコストダウンを実現できると共に、有効視界範囲を拡大することができる合成樹脂製の鏡体を備えた車両用ドアミラーを提供するものである。
【課題を解決するための手段】
【０００７】
本発明の車両用ドアミラーにあっては、合成樹脂製の鏡体素地板の表面に反射膜を設けて鏡体を形成し、該鏡体の裏面に、鏡面作動ユニットに対する連結部を一体に突出成形して、該鏡体にホルダー機能を付与したことを主要な特徴としている。
【発明の効果】
【０００８】
本発明によれば、鏡体自体がホルダー機能を備えているので、部品点数，形成工数を削減できてコストダウンを実現することができる。
【０００９】
また、鏡体は、鏡体素地板の表面に反射膜を設けて反射面としてあり、その周縁には従来のような専用のホルダーの周縁部が存在せず、全面を反射面とすることができるので、有効視界範囲を拡大できて、後写視認性を向上することができる。
【図面の簡単な説明】
【００１０】
【図１】本発明の一実施形態を示す断面図。
【発明を実施するための形態】
【００１１】
以下、本発明の一実施形態を図面と共に詳述する。
【００１２】
図１に示す実施形態の鏡体１は、適宜の合成樹脂材をもって射出成形された透明な鏡体素地板２の表面に、反射膜３を設けて構成している。
【００１３】
反射膜３は、例えば、鏡体素地板２の表面全体にクロムメッキコーティングして形成できるが、この他の汎用の鏡面形成手段を用いることができる。
【００１４】
鏡体１の裏面には、ドアミラーＤ・Ｍに内蔵した図外の鏡面作動ユニットに対する左右一対の連結部４を一体に突出成形してある。
【００１５】
連結部４は、鏡体１の裏面に突出したスペーサと補剛とを兼ねた補剛用基部４ａと、該補剛用基部４ａの突出方向頂部に突出した連結部材嵌合部４ｂとを備えている。
【００１６】
この鏡体１は、鏡面作動ユニットにより支点Ｐを中心として回動する連結部材１１の端部を連結部材嵌合部４ｂに嵌合，係着して、ドアミラーハウジング１０に対して左右方向および上下方向に揺動調節可能に連結支持している。
【００１７】
本実施形態にあっては、前記連結部４の補剛用基部４ａは、鏡体素地板２の射出成形時にガスインジェクションによって肉抜きをして形成してある。
【００１８】
また、鏡体１の周縁部の裏面側には、所要の突出高さでフランジ部５を一体に突出成形してある。
【００１９】
このフランジ部５は、その形成位置を鏡体１の周縁端末よりも板面中央側にオフセットした位置に設定して、鏡体１の周縁端末とフランジ部５の成形基部との間に段差δを設けてある。
【００２０】
以上の構成からなる本実施形態の車両用ドアミラーＤ・Ｍによれば、鏡体１自体が、その裏面に一体成形した連結部４を介して鏡面作動ユニットに連結するようにして、ホルダー機能を備えている。このため、反射鏡を構成する部品点数，形成工数を削減できてコストダウンを実現することができる。
【００２１】
また、鏡体１は、鏡体素地板２の表面全体に反射膜３を設けて反射面としてあり、その周縁には従来のような専用のホルダーの周縁部が存在しないので、この反射膜３を設けた表面全体が有効反射面となる。従って、有効視界範囲を拡大できて、後写視認性を向上することができる。
【００２２】
一方、鏡体１の周縁部裏面には、フランジ部５を一体に突出成形してあるので、鏡体１が左右方向あるいは上下方向に揺動した際でも、ドアミラーハウジング１０の開口周縁部と鏡体１の周縁部との間に生じる間隙で、このフランジ部５が目隠し部材として機能する。
【００２３】
これにより、ドアミラーＤ・Ｍの内部構造が上述の間隙を通して見えるのを防いで、見栄え、および品質感を高めることができる。
【００２４】
また、このフランジ部５の成形基部と、鏡体１の周縁端末との間には段差δを設定してあるので、前述の鏡体素地板２の表面に反射膜３をメッキ加工する際に、加工面の見切りを付け易くなってメッキ処理作業性を向上することができる。
【００２５】
更に、前述の連結部４の補剛用基部４ａは、射出成形時におけるガスインジェクションにより肉抜きしてあるので、鏡体素地板２の表面にヒケ，歪み等を生じるのを抑制して、鏡面品質を高く保持することができる。
【符号の説明】
【００２６】
１…鏡体
２…鏡体素地板
３…反射膜
４…連結部
４ａ…補剛用基部
４ｂ…連結部材嵌合部
５…フランジ部
１０…ドアミラーハウジング
１１…連結部材
Ｄ・Ｍ…ドアミラー
δ…段差
【図１】
2012206529.tif 000003
(57)【要約】【課題】手摺つきのエレベータかごにおいて内部の有効スペースを広くする。【解決手段】エレベータかご１００の内壁パネル１０であって、横方向に延び、化粧面から凹んだ窪み１１と、窪み１１の延びる方向に沿って窪み１１の中に配置された手摺１２と、手摺１２と窪み１１の上端または下端との間を接続する手摺子部材１２ａと、を備える。【選択図】図１
2012206798.tif 000002
【特許請求の範囲】
【請求項１】
エレベータかごの内壁パネルであって、
横方向に延び、化粧面から凹んだ窪みと、
前記窪みの延びる方向に沿って前記窪みの中に配置された手摺と、
前記手摺と前記窪みの上端または下端との間を接続する手摺子部材と、
を備えることを特徴とするエレベータ内壁パネル。
【発明の詳細な説明】
【技術分野】
【０００１】
本発明は、エレベータかご内壁パネルの構造に関する。
【背景技術】
【０００２】
エレベータかごは、鉄骨の骨組みに床、壁、天井等のパネルを取り付けて構成されている。エレベータかごの内部には、利用者のために手摺が設けられているが、かごの内部に手摺が突出していると手摺の突出している部分だけエレベータかご内部のスペースが狭くなってしまうことから、手摺を格納可能とすることが提案されている（例えば、特許文献１参照）。また、手摺を回転式の周壁に取り付けて、この周壁を回転させることによって手摺を使用状態としたり、格納状態としたりすることが提案されている。この方法は、手摺の取り付けられている表面をエレベータかごの内面化粧パネルと同様の意匠とすることによって手摺を格納した状態でエレベータパネルの内壁面が同一の意匠となり、手摺格納の際の美観を向上させることができるものである（例えば、特許文献２参照）。
【先行技術文献】
【特許文献】
【０００３】
【特許文献１】特開平８−２４５１３８号公報
【特許文献２】特開平７−１１７９５５号公報
【発明の概要】
【発明が解決しようとする課題】
【０００４】
しかし、特許文献１、２に記載された従来技術では、手摺を使用する際には壁面から手摺が突出する状態となることから、その際に、エレベータかご内部のスペースが少なくなってしまうという状態は解消されていなかった。
【０００５】
本発明は、手摺つきのエレベータかごにおいて内部の有効スペースを広くすることを目的とする。
【課題を解決するための手段】
【０００６】
エレベータかごの内壁パネルであって、横方向に延び、化粧面から凹んだ窪みと、前記窪みの延びる方向に沿って前記窪みの中に配置された手摺と、前記手摺と前記窪みの下端との間を接続する手摺子部材と、を備えることを特徴とする。
【発明の効果】
【０００７】
本発明は、手摺つきのエレベータかごにおいて内部の有効スペースを広くすることができるという効果を奏する。
【図面の簡単な説明】
【０００８】
【図１】本発明の実施形態におけるエレベータかごの内壁パネルを用いたエレベータかごの内部を示す斜視図である。
【図２】本発明の他の実施形態におけるエレベータかごの内壁パネルの手摺部分の断面図である。
【発明を実施するための形態】
【０００９】
図１に示すように、エレベータかご１００は、図示しない鉄骨で構成されたフレームと、フレームの上から取り付けられた床板１３、エレベータかご１００の側壁を構成する内壁パネル１０と、天井パネル１５とを含んでいる。内壁パネル１０には横方向に延びる窪み１１が設けられており、内壁パネル１０の表面である化粧面１０ａから窪み１１に向かってせり出している手摺１２を含んでいる。窪み１１は、内壁パネル１０の一部をエレベータかご１００の外側に向かって突出させた突出部２１の中をくりぬくように構成されている。また、手摺１２の側面は内壁パネル１０の化粧面と同一面となっており、手摺１２は、内壁パネル１０の化粧面１０ａと同一面で、窪み１１の下側から上側に向かって延びる板状の手摺子部材１２ａによって支持されている。窪み１１の大きさは、利用者が手摺１２を握った際に、手先がその中に入る様な大きさとなっている。また、窪み１１の表面の意匠は内壁パネル１０の化粧面１０ａと同様の意匠となっている。
【００１０】
上記のように構成された手摺１２を含むエレベータ１００の内壁パネル１０は、手摺１２がエレベータかご１００の室内側に突出していないことから、エレベータかご１００の内部スペースを広く保つことができる。また、化粧面１０ａと手摺１２の側面、手摺子部材１２ａの表面が同一面となっていることから外観上の見栄えもよくなっている。更に、特許文献１，２に記載されたように、外観を保つために手摺１２を格納する必要がないことから、構造が簡便となる。また、本実施形態では、手摺１２は内壁パネル１０と一体に構成されていることから、エレベータのリニューアル工事の場合に手摺を追加する場合にも内壁パネル１０を交換することで手摺１２の追加も同時にできることから、リニューアル工事を簡便に行うことができる。
【００１１】
図２は、本発明の他の実施形態のエレベータ１００の内壁パネル１０の断面を示す説明図である。図１を参照して説明した実施形態と同様の部分には同様の符号を付して説明は省略する。図２に示すように、本実施形態では、手摺子部材１２ａが窪み１１の上側から下側に向かって延びるように構成されているものである。その他の点については、図１を参照して説明した実施形態と同様であり、本実施形態も図１を参照して説明した実施形態と同様の効果を奏する。
【００１２】
また、図１、図２を参照して説明した実施形態では、手摺子部材１２ａは、窪み１１の上端又は下端からその表面が化粧面１０ａと同一面の板状の部材として説明したが、手摺子部材１２ａは板状の部材である必要はなく、例えば、複数の棒状の部材で構成されていてもよい。
【符号の説明】
【００１３】
１０  内壁パネル、１０ａ  化粧面、１１  窪み、１２  手摺、１２ａ  手摺子部材、１３  床板、１５  天井、２１  突出部、１００  エレベータかご。
【図１】
2012206798.tif 000003
【図２】
2012206798.tif 000004
(57)【要約】【課題】隙間が固定された方法ではチューブの厚みによって絞りが左右される。本発明は、チューブの厚さに簡単に対応できるチューブ絞り器を提供する。【解決手段】一対の丸棒の両端を蝶番で固定し丸棒を開閉することでチューブを挟む時とチューブを絞る時の厚さを可変にしたことを特徴とするチューブ絞り器。【選択図】図２
2012206777.tif 000002
【特許請求の範囲】
【請求項１】
一対の丸棒の両端を蝶番で平行に固定し、丸棒の開閉でチューブを挟み絞り出すときのチューブの任意の厚さに丸棒の開閉間隔が可変となるようにして内容物を絞り出すことを特徴とするチューブ絞り器。
【発明の詳細な説明】
【技術分野】
【０００１】  本発明は、練り歯磨きなどチューブに入れられた内容物をチューブ容器から絞り出すチューブ絞り具に関するものである。
【背景技術】
【０００２】  従来、チューブを巻き取りながら内容物を絞り出すものや固定された隙間に差し込んで内容物を絞り出すチューブ絞り器があった。
【先行技術文献】
【０００３】
【特許文献１】特許公開２００９−１７３３３３
【発明の概要】
【発明が解決しようとする課題】
【０００４】  しかしチューブを巻き取りながら内容物を絞り出す方法は、巻き取る構造が必要となる。また隙間が固定された方法ではチューブの厚みによって絞りが不十分となったり逆にきつ過ぎて絞りが困難となったりする。本発明は以上の問題点を解決するものである。
【課題を解決するための手段】
【０００５】  以上の問題点を解決するために、本発明は、一対の丸棒の両端を蝶番で平行に固定し、丸棒の開閉でチューブを挟み絞り出すときのチューブの任意の厚さに丸棒の開閉間隔が可変となるようにして内容物を絞り出すものである。
【発明の効果】
【０００６】  本発明のチューブ絞り器は、片方の手でチューブを挟みもう片方の手でチューブを引き出すことで内容物を簡単に絞りだせる。また、チューブを挟む手の握力とチューブを引き出す腕力に応じた絞りの調整が自由自在にできる。
【図面の簡単な説明】
【０００７】
【図１】本発明の斜視図
【図２】本発明の実施例（チューブを挟みいれる時）を示す説明図
【図３】本発明の別の実施例（チューブを挟んだ状態）を示す説明図
【図４】本発明の更に別の実施例（チューブを絞っている状態）を示す説明図
【発明を実施するための形態】
【０００８】  以下、本発明の実施の形態を説明する。
（イ）  一対の丸棒（１）が開閉できるように丸棒（１）の各両端を蝶番（２）でそれ          ぞれ平行に結合する。
本発明は以上のような構造である。
本発明を使用するときは、平行に結合された丸棒（１）を開く際にできる隙間にチューブ（３）を差し込んでから丸棒（１）を閉じてチューブ（３）を挟んだ状態でチューブ（３）を引き出すことで内容物を絞り出す。
【符号の説明】
【０００９】１  丸棒
２  蝶番
３  チューブ
【図１】
2012206777.tif 000003
【図２】
2012206777.tif 000004
【図３】
2012206777.tif 000005
【図４】
2012206777.tif 000006
(57)【要約】【課題】従来、健康増進、防虫、アクセサリーとしての使用を目的としたペット用首輪は、素材に布や革など使用したベルトに近い構造の物が多く、そのため構造が複雑で見栄えも良くない、また汚れや臭いも付きやすかった。本発明は構造が単純なため生産性が良く、デザイン性にも優れたペット用首輪を提供する。【解決手段】主原料にシリコンゴム等の柔軟なゴムまたは樹脂を使用し、連結部分が差し込み式の構造で、１部を切断することにより容易にサイズを調整できることを特徴とするペット用首輪【選択図】図１
2012231763.tif 000002
【特許請求の範囲】
【請求項１】
シリコンゴム等の柔軟なゴムまたは樹脂を主原料とし、連結部に凹凸等を設けて  差し込み式の構造としたペット用首輪
【発明の詳細な説明】
【技術分野】
【０００１】
本発明は、健康増進、防虫、アクセサリとしての使用などを目的としたペット用首輪
【背景技術】
【０００２】
従来、健康増進、防虫、など様々な機能を備えたペット用首輪が提供されてきた。また近年ではアクセサリとして使用することも増えている。
【先行技術文献】
【特許文献】
【０００３】
【特許文献１】特開２００４−２６７０５３号公報
【発明の概要】
【発明が解決しようとする課題】
【０００４】
従来、健康増進、防虫、アクセサリーとしての使用を目的としたペット用首輪は、素材に布や革など使用したベルトに近い構造の物が多く、そのため構造が複雑で見栄えも良くない、また汚れや臭いも付きやすかった。
【課題を解決するための手段】
【０００５】
主原料にシリコンゴム等の柔軟なゴムまたは樹脂を使用し、連結部分が差し込み式の構造で、１部を切断することにより容易にサイズを調整できることを特徴とするペット用首輪
【発明の効果】
【０００６】
本発明のペット用首輪は、連結部分を差し込み式とすることで構造を単純化することができ、生産性、デザイン性に優れる。また主原料にシリコンゴム等のゴムまたは樹脂を使用することで汚れ、臭いも付きにくい。
【図面の簡単な説明】
【０００７】
【図１】本発明の斜視図
【図２】本発明の装着状態の斜視図
【図３】本発明の断面図
【発明を実施するための形態】
【０００８】
以下、本発明の実施の形態を説明する。
イ、シリコンゴム等の柔軟なゴムまたは樹脂で成型された本体に連結部（１）を設ける。
ロ、連結部に差し込み穴（２）を設ける。
ハ、差し込み穴に抜け防止用の凸部（３）または凹部を１カ所または複数カ所設ける。
ニ、本体全週に抜け防止用の凹部（４）または凸部を複数設ける。
本発明は以上のような構造である。
本発明を使用するときは本体の先端を連結部（１）の差し込み穴（２）に差し込むことでペットの首に装着する。凹凸等の引っかかり部分を設けることで装着後は抜けにくい。またペットの首廻りのサイズに合わせて本体を切断することによって容易にサイズを調整することができる。        
【符号の説明】
【０００９】
１、連結部
２、差し込み穴  
３、凸部
４、凹部
【図１】
2012231763.tif 000003
【図２】
2012231763.tif 000004
【図３】
2012231763.tif 000005
(57)【要約】【課題】もともと塩分濃度の高い淡水しかない土地での繰り返し使用による塩分析出土壌や津波の冠水によって海水に曝された圃場など通常の作物が生育できない土壌の塩分除去が課題であった。【解決手段】塩分濃度の高い田畑に取水枡と散水部を設け、取水枡より汲みあげた塩分濃度の高い水を海水淡水化装置を通すことにより淡水化し、できた淡水を再度田畑に供給することにより少量の水で繰り返し田畑の洗浄を行う。【選択図】図１
2012231761.tif 000002
【特許請求の範囲】
【請求項１】
田畑に散水部および取水部を設け、該取水部に連結した海水淡水化装置により、地中水中の塩分を除去することを特徴とする高塩分濃度田畑の改良方法。
【請求項２】
請求項１記載の高塩分濃度田畑の改良方法において、前記散水部および取水部の設置場所を水利学的な観点より決定し、自然な地中水流を活かすことにより、水移動のエネルギーを最少にしたことを特徴とする高塩分濃度田畑の改良方法。
【請求項３】
請求項１記載の高塩分濃度田畑の改良方法であって、雨季の降水あるいは河川水を同時に洗浄水として用いることを特徴とする高塩分濃度田畑の改良方法。
【請求項４】
請求項１記載の高塩分濃度田畑の改良方法であって、対策すべき土中への淡水の流下を妨げる不透水層面以下に取水部枡を設置して強制的に不透水層面以下に淡水を流下させることを特徴とする高塩分濃度田畑の改良方法。
【請求項５】
請求項１記載の高塩分濃度田畑の改良方法であって、特に畑の対策のために周囲に畑周囲に畦を設け、洗浄に使用する淡水と畑土壌の接触時間を長期化することを特徴とした高塩分濃度畑の改良方法。
【請求項６】
請求項１記載の高塩分濃度田畑の改良方法であって、代掻きによって不透水層を破壊し、塩分含有水と淡水との置換効率を高めたことを特徴とする高塩分濃度田畑の改良方法。
【発明の詳細な説明】
【技術分野】
【０００１】
本発明は塩分濃度の高い土壌の塩分除去方法に係り、特に高塩分濃度田畑の改良方法に関する。
【背景技術】
【０００２】
重金属や有機有害物質などで汚染した土壌の対策技術が知られている。対象とする有害物の存在状態や含有量、最終目標とする対策基準によって対策手法は現場ごとに適正なものが選択され、実施されている。
【０００３】
有機汚染の一種であっても有機塩素系化合物など汚染物の一定量が水に溶解する場合には取水用の井戸を設置して水に溶解した汚染物を水とともに汲み上げ、従来からの水処理技術の応用で汚染物を除去することはしばしば行われてきた。活性炭やイオン交換樹脂などの吸着材料に汚染物を吸着させて、それぞれの吸着材料を有害物質含有として処理するものである。中性付近で作業が行えることと器材設置後はあまり人手を要しないことから時間は掛かっても採用されてきた方法である。しかしこのような土壌汚染対策の現場でも対策後、農業用地として利用することを考慮しない場合はもちろんのこと、有害物でない塩分の処理は全く行われてこなかった。
【発明の概要】
【発明が解決しようとする課題】
【０００４】
もともと塩分濃度の高い淡水しかない土地での繰り返し使用による塩分析出土壌や津波の冠水によって海水に曝された圃場など通常の作物が生育できない土壌の塩分除去が課題であった。
【０００５】
本発明は、上記問題を解決することを課題としたものである。
【課題を解決するための手段】
【０００６】
上記課題を解決するために、本発明では、塩分濃度の高い田畑に取水枡と散水部を設け、取水枡より汲みあげた塩分濃度の高い水を海水淡水化装置を通すことにより淡水化し、できた淡水を再度田畑に供給することにより少量の水で繰り返し田畑の洗浄を行う。
【０００７】
本発明の別の実施態様においては、特に畑の対策のために周囲に畑周囲に畦を設け、洗浄に使用する淡水と畑土壌の接触時間を長期化する。
【発明の効果】
【０００８】
塩害の影響は浸透圧の上昇により作物根の水分吸収阻害やミネラルバランスが崩壊することにより栄養・代謝阻害が起こるとされるが、十分な真水の供給により、年間を通して自然に行われる水循環を実現することにより、短期間での復旧を可能にする。
【図面の簡単な説明】
【０００９】
【図１】本発明の一実施形態に係る田圃施工図（断面）である。
【発明を実施するための形態】
【００１０】
以下、図面を参照して本発明について説明する。図１は、本発明の一実施形態に係る田圃施工図（断面）である。田圃施工図（断面）として施工状態を示したものである。
【００１１】
同図に示すように、塩分濃度の高い田畑に取水枡と散水部を設け、取水枡より汲みあげた塩分濃度の高い水を海水淡水化装置を通すことにより淡水化し、できた淡水を再度田畑に供給することにより少量の水で繰り返し田畑の洗浄を行う。
【００１２】
こうすることにより、塩害の影響は浸透圧の上昇により作物根の水分吸収阻害やミネラルバランスが崩壊することにより栄養・代謝阻害が起こるとされるが、十分な真水の供給により、年間を通して自然に行われる水循環を実現することにより、短期間での復旧を可能にする。
【００１３】
この場合、散水部および取水部の設置場所を水利学的な観点より決定し、自然な地中水流を活かすことにより、水移動のエネルギーを最少にするようにすることもできる。
【００１４】
或いは、雨季の降水あるいは河川水を同時に洗浄水として用いるようにしてもよい。
【００１５】
また、対策すべき土中への淡水の流下を妨げる不透水層面以下に取水部枡を設置して強制的に不透水層面以下に淡水を流下させるようにすることもできる。
【００１６】
さらには、代掻きによって不透水層を破壊し、塩分含有水と淡水との置換効率を高めるようにすることもできる。
【００１７】
圃場（畑地）については田と同様に仮の畦を設置することで同様の施工を行う。以下洗浄対象地と記述する。洗浄対象地の一角を掘削して取水枡を設置し、海水淡水化装置の取水ポンプに接続した吸水口を投入、塩分を含んだ水をろ過し、できた淡水を取水枡から離れた洗浄対象地に散水、水の循環により洗浄対象地を洗浄する。
【００１８】
洗浄対象地が増水等により、河川や沿岸部のヘドロ成分や油分で汚染している場合にはヘドロの除去や油分スクリーン技術など適当な対策を講じた後に土壌洗浄工程を実施する。
【００１９】
洗浄対象地の粘土と海水等のイオン交換により粘土がナトリウム型、マグネシウム型に変化していると想定される場合には、消石灰を洗浄対象地全面が隠れる程度に散布し、撹拌または一旦、水を張ることにより再度のイオン交換を促し、その後土壌洗浄工程を実施する。
【００２０】
洗浄対象地が田圃の場合には水張りによって比較的短時間で粘土による不透水層が形成されるが、散水ノズルに指向性を持たせた散水や定期的な代掻きによって土壌を撹拌し、淡水と高塩分含有水を接触させる。
【産業上の利用可能性】
【００２１】
塩分濃度が高く作物生育に適当でない土壌を限られた水資源を海水淡水化装置を通した淡水利用によって繰り返し洗浄することにより、自然の降雨では実現できない効率で農地とすることができるから、本発明は経済的価値を有するとともに産業上利用することができる発明である。
【符号の説明】
【００２２】
１  畦
２  海水淡水化装置
３  散水部
４  取水枡
５  吸水口
６  田圃水張り面
７  田圃断面
【図１】
2012231761.tif 000003
(57)【要約】      （修正有）【課題】大災害時においても、お湯さえあれば、直ちに食せるよう、麺、おかず等の冷凍食料品類を提供する。【解決手段】麺類とおかずなどの食料品を、一人前ずつ定量したラップによる包装１とし、瞬間冷凍したのち、冷凍庫に入庫備蓄しておき、万一の大災害時においても直ちに沸騰したお湯で解凍すると同時に、避難民全員の食用に供することが出来るものとする。【選択図】図１
2012231774.tif 000002
【特許請求の範囲】
【請求項１】
麺類を製造し、又おかず等を調理して各設けて、該麺類とおかず等をそれぞれ各食用出来るように煮たてして、各麺類とおかず等を定量の一人分を角状にラップ等で包んで成して、各麺類とおかず等をそれぞれ適当な箱に立詰めにして、この各麺類箱とおかず等を入箱の各食料品箱を瞬間冷蔵庫に入庫保管して、大災害に備えて備蓄構成した大災害において直ちに食料を供給できる様にした麺類、おかずなどの食料品類。
【請求項２】
大地震の起る地域の各避難所や集会所及その地域の全家庭に各その各人員数に合せてその人数に足る数量と入庫備蓄しておいて、大災害時に沸騰したお湯で解凍して、直ちに食用に供するよう構成した請求項１記載の大災害時における麺類、おかずなどの食料品類。
【発明の詳細な説明】
【技術分野】
【０００１】  本発明は、大災害で食料品類が供給不足の際に充分に即時に麺類及びおかず等、その他、提供する食料品である。【０００２】  従来より、大地震など大災害において、一番水の不足及食料である。【０００３】  食料の多くは総て賞味期限があって、その期限がなくなると、全品取替えするのでその時間と手数を費やすことになり、又経済的にも膨大な費用、負担をともなうものである。【０００４】  余分な事であるが一番の次は水で、下記先行技術で解決することが出来るので検討してみる事を進めるものである。
【先行技術文献】
【特許文献１】  公開特許公報  ２０１１−４０２
【０００５】
【非特許文献】
【非特許文献】  特許第４５４６９４２号  大災害の予知する避難場所に設置しておいて、災害時のこの様な時において水を供給する供給装置である。
【発明の概要】
【発明を解決しようとする課題】
【０００６】  本発明は上記の様な従来の構成が有している諸問題を解決とするものであるが、賞味期間を大幅に延長できて、半永久的にとでも言えるものを実現することを目的とするものである。
【０００７】  而して、その避難場所に大量に備蓄しておいて、災害時には即時に避難場所に避難している全員に即、容易に提供出来る様にした有用効果的な麺、おかずなどの食品類の実現とすることを目的とするものである。
【課題を解決する課題】
【０００８】  そこで本発明は、上記の目的を達成するために、賞味期限を有しないもので、直ちに食する事の出来る食品を開発することである。
【０００９】  次の角課題解決手段は、作用も次の通りである、即ち、一食毎の袋詰その手段を要しないこと、そしてこれらを廃止することである。
【００１０】  そこで本発明は、例えば麺類であれば、従来の通り小麦粉などで手打ち或は機械で平面状に伸ばすなどして、適当な太さの麺状に切取りして設けて、即時に煮立して食することが出来るようにするとともに、先ずこれを一人前づつ定量にしてセロハン等で包んで角状にして形成する。
【００１１】  また副食品も同時に即時食することが出来る、煮立て、一人前づつ定量にして同じくセロハンなどで角状に包んで形成する。
【００１２】  上記の麺、副食品なども一人で持運び出来る程度前後の箱に立詰めして、瞬間冷凍庫に保存するものである。
【００１３】  上記の様にすれば冷凍庫に入庫してある限り半永久的に保管できるので賞味期限を心配する必要を全く要しないものである。
【００１４】  上記課題を解決する手段は下記の通りである、即ち、大地震により災害に会ったときに、広域の避難所においても、予めそこに避難した人員に要する量を備蓄しておいて、該麺、おかず等を直ちに全員に食することが出来るものである。
【００１５】  釜を煮立てする水は、上記の大災害における給水装置、特許第４２４６９４２号を設置しておけば全くその心配はないものである。
【００１６】  また、本発明の食品類は冷蔵庫に冷凍されてある限り上述した如く、半永久的に保管できる特徴を有するものである。
【図面の簡単な説明】
【００１７】
【図１】  本発明のイ、ロ、は麺類、おかずは実施形態を図示した平面図。
【図２】  同、麺類、食料品等の詰合せ状態を示した縮小断面前面側面図。
【図３】  同、麺、食料品を箱詰めにする一例を示した縮小した断面側面全図。
【発明を実施するための形態】
【００１８】  以下、本発明の実施の形態を図に基づいて説明する。
【００１９】  図において１は麺数、おかずなどの副食物を一人前づつラップ詰にした、大災害における全員に供給する分量を麺類、おかずの副食物等の食料品類に関する。
【００２０】  図２は麺類を一人前をラップ等に詰込んだ麺包で、３はお菜等を一人前詰込んだ副食品類を包んで、箱内に平面状に適当数量を重ねた状態にした食品類箱である。
【００２１】  上記本発明の麺類、おかずなどの各副食物は直ちに食することが出来る完全に煮立てしたもので各一人前の定量を角状にラップ包みしたものである。
【００２２】  こうして、上記のように各ラップ包した麺類、おかずの副食品などは、一人前で持運びできる前後の箱に立詰めにして設ける構成するものである。
【００２３】  この際、各食品類は例えば箱を横にして開口し、この開口部より一個宛横詰めにして満杯に入箱して閉口し立にすると、見事立詰めに設は箱詰体箱４が出来上がるが、どの様にして入箱してもよい。
【００２４】  こうして本発明の麺類、おかずなどの食料品を箱詰した箱４は、直ちに瞬間冷凍庫に入庫して備蓄する。
【００２５】  上記の様に構成した本発明は、大地震の予知されてある各避難所や集合所及全各家庭に上記の如くその数量を予め勘案し用意して、冷凍庫に保管備蓄しておくことを、強く求めるものである。
【００２６】  上記の様に、本発明は各避難所、集合所などではそこに集合する人員の数を少なくとも７日分位の量を予め勘案してその全員に配分し得て食することができる様に手配するとともに、又家庭の人員に７日分の数量を用意して瞬間冷凍庫に備蓄して、災害時には釜等で沸騰した湯で解凍して、直ちに食用することが出来る特徴を有するものである。
【符号の説明】
【００２７】    １・・・・・ラップした包み
２・・・・・立詰した食料品箱
３・・・・・横詰した食料品類
【図１】
2012231774.tif 000003
【図２】
2012231774.tif 000004
【図３】
2012231774.tif 000005